(57)【要約】【課題】無電極ランプの点灯性が悪化する場合を正しく検出し、信頼性の低下を招く処理の発生を防ぐことができる投射型映像表示装置を提供する。【解決手段】無電極ランプの光源からの照射光と表示映像を映像表示手段で合成し、スクリーンに投射する投射型映像表示装置であって、ランプ点灯中のＡＣ  ＯＦＦを検出するＡＣ  ＯＦＦ検出手段と、前記無電極ランプを電流によって駆動するランプ駆動手段と、ランプの内部温度を測定する温度測定手段と、ランプの点灯時間を計測する時間計測手段と、ランプが難点灯状態にあることを示すフラグを記憶する不揮発性の記憶手段とを備え、ＡＣ  ＯＦＦが検出された場合に、ランプの内部温度が所定温度より低くかつ、ランプの点灯時間が所定時間より短い場合にフラグをセットし、次回のランプ点灯時にそのフラグの状態によってランプの点灯処理を制御する。【選択図】図１
2009218031.tif 000002
【特許請求の範囲】
【請求項１】
無電極ランプの光源からの照射光と表示映像を映像表示手段で合成し、スクリーンに投射する投射型映像表示装置であって、前記無電極ランプ点灯中のＡＣ  ＯＦＦを検出するＡＣ  ＯＦＦ検出手段と、前記無電極ランプを電流によって駆動するランプ駆動手段と、前記無電極ランプの内部温度を測定する温度測定手段と、前記無電極ランプの点灯時間を計測する時間計測手段と、前記無電極ランプが難点灯状態にあることを示すフラグを記憶する不揮発性の記憶手段とを備え、前記ＡＣ  ＯＦＦ検出手段によってＡＣ  ＯＦＦが検出された場合に前記温度測定手段によって測定された前記無電極ランプの内部温度が所定温度より低くかつ、前記時間計測手段によって計測された前記無電極ランプの点灯時間が所定時間より短い場合に前記フラグをセットし、次回の前記無電極ランプ点灯時に、前記不揮発性の記憶手段に記憶されている前記フラグの状態によって前記無電極ランプの点灯処理を制御することを特徴とする投射型映像表示装置。
【請求項２】
前記フラグがセットされた場合で、前記無電極ランプが点灯した時に前記フラグがリセットされることを特徴とする請求項１記載の投射型映像表示装置。
【請求項３】
前記所定時間が、５分であることを特徴とする請求項１記載の投射型映像表示装置。
【請求項４】
前記所定温度が、６０℃であることを特徴とする請求項１記載の投射型映像表示装置。
【請求項５】
前記ランプ駆動手段が、ランプを駆動する駆動電流を可変に制御可能であることを特徴とする請求項1記載の投射型映像表示装置。
【発明の詳細な説明】
【技術分野】
【０００１】
本発明は、投射型映像表示装置に関し、より詳細には、投射型映像表示装置に搭載の無電極ランプを制御する技術に関する。
【背景技術】
【０００２】
投射型映像表示装置に用いられるランプとしては、主に放電ランプが使用されているが、この種の放電ランプは、消灯した後に再点灯する場合、ランプの温度が高いと、再点灯できないという欠点があるため、スイッチをオフした後もファンを一定時間回し続け、消灯したランプの冷却を行っている。
【０００３】
ところで、投射中に突然にＡＣ  ＯＦＦされた場合、ファンの回転も停止するためランプを十分に冷却することができず、その後すぐに電源が復帰状態になった場合、ランプが十分に冷却されてない状態でランプ電源回路がランプを点灯させてしまうため、ランプ不点灯といった不都合や、ノイズが長時間発生するという不都合があった。
【０００４】
この改善策として、ランプの点灯時にランプの温度が所定の温度より高いか低いかを判定し、高ければ冷却してからランプを点灯させ、低い場合は通常通り冷却せずにランプを点灯させるといったランプ温度に応じて冷却の必要性を判断し、ランプを劣化させることなく再点灯できる投写型表示装置がある。（例えば、特許文献１参考）
【特許文献１】特開２００４−３４８１０９号公報
【発明の開示】
【発明が解決しようとする課題】
【０００５】
前記従来の構成では、ランプ点灯時のランプの温度が所定の温度より高いか低いかを測定し、ランプの冷却の必要性を判断するため、無電極ランプの次回点灯時の始動性の悪化を判断することはできない。そのため、無電極ランプが所定の温度より高くＡＣ  ＯＦＦによって消灯された場合など無電極ランプの点灯性に影響が無い場合にも、無電極ランプの温度が高く冷却処理が行われなかったと判断され、点灯性を向上させるための起動電力Ｕｐ処理を実施した場合には、不必要な電力Ｕｐのために返ってランプの信頼性を低下させてしまうという問題があった。
【０００６】
本発明は、前記従来の課題を解決するもので、冷却処理の実施有無、ランプの温度、ランプの点灯時間を計測することにより、実際に点灯性が悪化する場合を正しく検出することが可能になり、不必要な処理の発生を防ぐことのできる投射型映像表示装置を提供することを目的とする。
【課題を解決するための手段】
【０００７】
前記従来の課題を解決するために、本発明の投射型映像表示装置は、無電極ランプの光源からの照射光と表示映像を映像表示手段で合成し、スクリーンに投射する投射型映像表示装置であって、前記無電極ランプ点灯中のＡＣ  ＯＦＦを検出するＡＣ  ＯＦＦ検出手段と、前記無電極ランプを電流によって駆動するランプ駆動手段と、前記無電極ランプの内部温度を測定する温度測定手段と、前記無電極ランプの点灯時間を計測する時間計測手段と、前記無電極ランプが難点灯状態にあることを示すフラグを記憶する不揮発性の記憶手段とを備え、前記ＡＣ  ＯＦＦ検出手段によってＡＣ  ＯＦＦが検出された場合に前記温度測定手段によって測定された前記無電極ランプの内部温度が所定温度より低くかつ、前記時間計測手段によって計測された前記無電極ランプの点灯時間が所定時間より短い場合に前記フラグをセットし、次回の前記無電極ランプ点灯時に、前記不揮発性の記憶手段に記憶されている前記フラグの状態によって前記無電極ランプの点灯処理を制御することを特徴としたものである。
【発明の効果】
【０００８】
本発明の投射型映像表示装置によれば、無電極ランプの点灯性の悪化を検出し、その回復処理を実行することで、無電極ランプの点灯信頼性を向上できる。
【発明を実施するための最良の形態】
【０００９】
以下に、本発明の投射型映像表示装置の実施の形態を図面とともに詳細に説明する。
【００１０】
（実施の形態１）
図１は、本発明の第１の実施の形態における投射型映像表示装置の概略構成図を示す。
【００１１】
図１において、映像表示手段１は、映像信号処理手段２からの映像信号と光源である無電極ランプ３からの信号を合成し、映像情報出力としてスクリーン４に投射する。
【００１２】
無電極ランプ３は、温度測定手段５とランプ駆動手段６を備えており、このランプ駆動手段６は、無電極ランプ３の駆動電流を可変に制御することが可能である。無電極ランプ３の近傍には冷却手段７が設けられている。冷却手段７は制御手段８によって制御され、無電極ランプ３の外側から内側に空気を送り込む方向に風を流して空冷をしている。
【００１３】
制御手段８は、リモコンやキー入力回路等の操作手段１４からの指示を受け、冷却手段７等の各回路を動作させるのみならず、各回路の時間的な制御及び動作状態を管理し、点灯時間計測手段１０とＡＣ  ＯＦＦ検出手段１１を備えている。電源１２は、外部から供給される電力をＡＣからＤＣへ変換する平滑回路及び、制御手段８、映像信号処理手段２、冷却手段駆動部等の各種回路を動作させるのに必要な電圧に変換する電圧変換回路を備えている。ランプ電源１３は、電源１２を通り外部から供給される電力をＡＣからＤＣへ変換する平滑回路及び、ランプ駆動手段６を動作させるのに必要な電圧に変換する電圧変換回路を備えている。
【００１４】
次に本発明の各実施形態の動作について説明する。
【００１５】
突然にＡＣ  ＯＦＦされた場合、ＡＣ  ＯＦＦ検出手段１１がＡＣ  ＯＦＦを検出し、ＡＣ  ＯＦＦされたことを制御手段８に通知する。また同時に制御手段８は、点灯時間計測手段１０より無電極ランプ３の点灯時間情報を取得し、無電極ランプ３に備えられている温度測定手段５より無電極ランプ３の内部温度情報を取得する。ここで制御手段８が無電極ランプ３の点灯時間が所定時間より短いと判定し、かつ無電極ランプ３の内部温度が所定温度より低いと判定した場合に、不揮発性記憶手段９に次の点灯時の始動性悪化を示すフラグＦ（Ｆ＝１）を記憶させる。
【００１６】
ＡＣ  ＯＦＦ検出手段１１がＡＣ  ＯＦＦを検出しなかった場合や、ＡＣ  ＯＦＦ検出手段１１がＡＣ  ＯＦＦを検出した場合であっても、制御手段８が無電極ランプ３の点灯時間が所定時間より長いと判定した場合や、無電極ランプ３の内部温度が所定温度より高いと判定した場合は、フラグＦはセットしない（Ｆ＝０）。操作手段１４から電源ＯＦＦ指令が入力された場合には、制御手段８はランプ駆動手段６に無電極ランプ３を消灯させるための制御信号を送るとともに、冷却手段７による一定期間の冷却処理を行う。制御手段８は、一定期間が経過すると、冷却手段７による冷却処理を終了し、フラグＦはセットされず（Ｆ＝０）に電源ＯＦＦ状態となる。
【００１７】
ランプを点灯時は、制御手段８はランプ駆動手段６に無電極ランプ３を点灯させるための制御信号を送るとともに、監視用フラグＦがセットされているかどうかを判定する。監視用フラグＦがセットされていない場合（Ｆ＝０）には、通常の電源オンの動作を行う。監視用フラグＦがセットされている場合（Ｆ＝１）には、制御手段８は各回路に無電極ランプ３の点灯性が向上する処理を行う。それは、無電極ランプ３の起動電流のＵＰであってもよいし、無電極ランプ３が点灯するまで冷却手段７を動作させないというものであってもよいし、点灯シーケンスを複数回繰り返すというのでもよい。無欄極ランプ３が点灯した時点でフラグＦはリセット（Ｆ＝０）される。
【００１８】
次に点灯時の始動性の悪い状態について説明するとともに、所定時間を５分、所定温度を６０℃とした理由について説明する。
【００１９】
図２は、無電極ランプ３内部で構成されているバルブ１６とバルブパック１５の図である。このバルブ１６の中には水銀、もしくは水銀を主とする添加物が封入されている。この水銀は無電極ランプ３点灯中には蒸発しているが、無電極ランプ３が消灯しバルブ１６温度の低下とともに液化する。そしてバルブの先端側１６ａとバルブパック１５内部に埋め込まれたバルブ１６の奥側１６ｂに温度勾配が生じると、水銀は早く温度が下がった方に偏って付着するという性質がある。無電極ランプ３の点灯直後でバルブパック１５の温度が安定する前にＡＣ  ＯＦＦが発生した場合には、冷却手段７によるバルブの先端側１６ａの冷却が行われず、バルブパック１５によってバルブ奥側１６ｂの熱が吸収されるため、バルブ奥側の温度が早く下がり、結果としてバルブ奥側１６ｂに水銀が偏って付着することになる。このような状態になると、無電極ランプ３を点灯させるのに十分な電界が水銀にかからず、また偏って付着しているため液化するのに時間がかかってしまう。これが無電極ランプ３の点灯の始動性が悪い状態である。また逆にバルブ１６内部均一に水銀が付着した状態が無電極ランプ３の点灯の始動性が良い状態と言える。
【００２０】
ここで無電極ランプ３の点灯時間と次の点灯時の始動性の関係について調べるため、９台の無電極ランプを使用して行った実験について説明する。尚、無電極ランプ３の消灯方法はＡＣ  ＯＦＦである。無電極ランプ３の点灯時間が１分の場合は、９台中４台で点灯の始動性悪化が確認された。無電極ランプ３の点灯時間が３分の場合は、９台中１台で点灯の始動性悪化が確認された。無電極ランプ３の点灯時間が４分の場合は、点灯時間が３分の時に点灯の始動性が悪かった１台でも改善が確認され、点灯時間が５分の場合は９台中９台の無電極ランプ３において点灯の始動性悪化は確認されなかった。
【００２１】
この結果から、無電極ランプ３の点灯時間が５分以上の場合においては、ＡＣ  ＯＦＦされた場合でも次の点灯の始動性には悪影響を及ぼさないことがわかった。
【００２２】
次に所定温度を６０℃とした理由であるが、無電極ランプ３の出荷時には電流を調整して輝度を最適化するために調整という作業が行われるが、その調整を行う温度が６０℃であり、この温度以上がランプの安定点灯時の動作温度である。ランプが安定点灯状態になっていれば、例えＡＣ  ＯＦＦされてもバルブの先端側１６ａとバルブ奥側１６ｂに温度勾配は生じず、バルブ１６内部均一に水銀が付着するため、無電極ランプ３の点灯の始動性が悪い状態にはならない。
【産業上の利用可能性】
【００２３】
本発明の投射型映像表示装置によれば、無電極ランプの点灯性の悪化を検出し、その回復処理を実行することで、無電極ランプの点灯信頼性を向上できるという機能を有し、投射型映像表示装置の無電極ランプの制御の分野において有用である。
【図面の簡単な説明】
【００２４】
【図１】本発明の実施の形態１における投射型映像表示装置の概略構成を示す図
【図２】バルブとバルブパックの外観図
【符号の説明】
【００２５】
１  映像表示手段
２  映像信号処理手段
３  無電極ランプ
４  スクリーン
５  温度測定手段
６  ランプ駆動手段
７  冷却手段
８  制御手段
９  不揮発性記憶手段
１０  点灯時間計測手段
１１  ＡＣ  ＯＦＦ検出手段
１２  電源部
１３  ランプ電源部
１４  操作手段
１５  バルブパック
１６  バルブ
【図１】
2009218031.tif 000003
【図２】
2009218031.tif 000004